(57)【要約】【課題】ネットワーク監視システム内の回線の帯域を圧迫することなく、被監視装置に障害が多く発生した場合でも障害情報が確実に通知されるようにする。【解決手段】ネットワークを構成するネットワーク装置である被監視装置４０ａ〜４０ｈから送信された障害情報を受信する複数の下位監視装置３０ａ〜３０ｄと、下位監視装置３０ａ〜３０ｄが受信した障害情報を集約する複数の上位監視装置２０ａ，２０ｂとを有し、上位監視装置２０ａ，２０ｂの数が下位監視装置３０ａ〜３０ｄの数よりも少ないネットワーク監視システムであって、下位監視装置３０ａ〜３０ｄは、被監視装置４０ａ〜４０ｈから送信された障害情報を受信すると、その障害情報を受信する前までに被監視装置４０ａ〜４０ｈから受信した障害情報の単位時間当たりの受信数である受信レートに応じ、受信した障害情報を送信する上位監視装置２０ａ，２０ｂを決定する。【選択図】図１
2010041502.tif 000002
【特許請求の範囲】
【請求項１】
ネットワークを構成するネットワーク装置から送信された障害情報を受信する複数の下位監視装置と、該複数の下位監視装置と接続され、該複数の下位監視装置が受信した障害情報を集約する複数の上位監視装置とを有し、該上位監視装置の数が前記下位監視装置の数よりも少ないネットワーク監視システムであって、
前記下位監視装置は、前記ネットワーク装置から送信された障害情報を受信すると、該障害情報を受信する前までに前記ネットワーク装置から受信した障害情報の単位時間当たりの受信数である第１の受信レートに応じ、前記受信した障害情報を送信する上位監視装置を決定するネットワーク監視システム。
【請求項２】
請求項１に記載のネットワーク監視システムにおいて、
前記下位監視装置は、前記ネットワーク装置から送信された障害情報の送信先として予め決められた上位監視装置を示す送信先フラグを有し、前記第１の受信レートが予め決められた閾値よりも大きな場合に、前記送信先フラグを切り替えることによって前記障害情報の送信先となる上位監視装置を変更するネットワーク監視システム。
【請求項３】
請求項１または請求項２に記載のネットワーク監視システムにおいて、
前記上位監視装置は、前記下位監視装置から送信された障害情報の単位時間当たりの受信数である第２の受信レートを通知し、
前記下位監視装置は、前記上位監視装置から通知された前記第２の受信レートに応じ、前記受信した障害情報を送信する上位監視装置を決定するネットワーク監視システム。
【請求項４】
請求項３に記載のネットワーク監視システムにおいて、
前記上位監視装置は、前記下位監視装置から送信された障害情報を受信できるかどうかを照会するための受信可否照会通知を受信すると、前記第２の受信レートを前記下位監視装置へ通知し、
前記下位監視装置は、前記ネットワーク装置から障害情報を受信すると、前記受信可否照会通知を予め決められた上位監視装置へ送信し、該予め決められた上位監視装置から前記第２の受信レートの通知を受けると、該通知された第２の受信レートが予め決められた閾値以下であった場合、前記受信した障害情報を前記予め決められた上位監視装置へ送信し、前記通知された第２の受信レートが予め決められた閾値よりも大きな場合、他の上位監視装置へ前記受信した障害情報を送信するネットワーク監視システム。
【請求項５】
ネットワークを構成するネットワーク装置から送信された障害情報を受信し、前記障害情報を集約する複数の上位監視装置と接続された下位監視装置であって、
前記ネットワーク装置から送信された障害情報を受信すると、該障害情報を受信する前までに前記ネットワーク装置から受信した障害情報の単位時間当たりの受信数である受信レートに応じ、前記受信した障害情報を送信する上位監視装置を決定する下位監視装置。
【請求項６】
請求項５に記載の下位監視装置において、
前記ネットワーク装置から送信された障害情報の送信先として予め決められた上位監視装置を示す送信先フラグを有し、前記受信レートが予め決められた閾値よりも大きな場合に、前記送信先フラグを切り替えることによって前記障害情報の送信先となる上位監視装置を変更する下位監視装置。
【請求項７】
ネットワークを構成するネットワーク装置から送信された障害情報を受信する複数の下位監視装置と、該複数の下位監視装置と接続され、該複数の下位監視装置が受信した障害情報を集約する複数の上位監視装置とを有し、該上位監視装置の数が前記下位監視装置の数よりも少ないネットワーク監視システムにおけるネットワーク監視方法であって、
前記ネットワーク装置から送信された障害情報を受信すると、該障害情報を受信する前までに前記ネットワーク装置から受信した障害情報の単位時間当たりの受信数である第１の受信レートに応じ、前記受信した障害情報を送信する上位監視装置を決定する処理を有するネットワーク監視方法。
【請求項８】
請求項７に記載のネットワーク監視方法において、
前記第１の受信レートが予め決められた閾値よりも大きな場合に、前記ネットワーク装置から送信された障害情報の送信先として予め決められた上位監視装置を示す送信先フラグを切り替えることによって前記障害情報の送信先となる上位監視装置を変更する処理を有するネットワーク監視方法。
【請求項９】
請求項７または請求項８に記載のネットワーク監視方法において、
前記下位監視装置から送信された障害情報の単位時間当たりの受信数である第２の受信レートを通知する処理と、
前記上位監視装置から通知された前記第２の受信レートに応じ、前記受信した障害情報を送信する上位監視装置を決定する処理とを有するネットワーク監視方法。
【請求項１０】
請求項９に記載のネットワーク監視方法において、
前記ネットワーク装置から障害情報を受信すると、該障害情報を受信できるかどうかを照会するための受信可否照会通知を予め決められた上位監視装置へ送信する処理と、
前記受信可否照会通知を受信すると、前記第２の受信レートを前記下位監視装置へ通知する処理と、
前記第２の受信レートの通知を受けると、該通知された第２の受信レートが予め決められた閾値以下であった場合、前記受信した障害情報を前記予め決められた上位監視装置へ送信し、前記通知された第２の受信レートが予め決められた閾値よりも大きな場合、他の上位監視装置へ前記受信した障害情報を送信する処理とを有するネットワーク監視方法。
【請求項１１】
ネットワークを構成するネットワーク装置から送信された障害情報を受信し、前記障害情報を集約する上位監視装置と接続された下位監視装置に、
前記ネットワーク装置から送信された障害情報を受信すると、該障害情報を受信する前までに前記ネットワーク装置から受信した障害情報の単位時間当たりの受信数である受信レートに応じ、前記受信した障害情報を送信する上位監視装置を決定する機能を実現させるためのプログラム。
【請求項１２】
請求項１１に記載のプログラムにおいて、
前記受信レートが予め決められた閾値よりも大きな場合に、前記ネットワーク装置から送信された障害情報の送信先として予め決められた上位監視装置を示す送信先フラグを切り替えることによって前記障害情報の送信先となる上位監視装置を変更する機能を実現させるためのプログラム。
【発明の詳細な説明】
【技術分野】
【０００１】
本発明は、多段構成のネットワーク監視システム、監視装置、ネットワーク監視方法及びプログラムに関する。
【背景技術】
【０００２】
ネットワークを構成する伝送装置等のネットワーク装置は、ネットワークの信頼性確保の観点から、通常、監視装置によりその稼働状況が監視されている。
【０００３】
また、近年、情報通信網の発展によってネットワークの大規模化が進んできており、ネットワークを構成するネットワーク装置の数も増加してきている。ネットワークが大規模になってネットワーク装置の数が増えた場合、複数の監視装置を準備し、それらの監視装置を多段構成にしてネットワーク装置の監視を行うのが一般的である。
【０００４】
ここで、大規模なネットワークにおいてネットワーク監視システムによってネットワーク装置を監視する方法を以下に説明する。
【０００５】
図８は、大規模なネットワークにおけるネットワーク監視システムの一例を示す図である。
【０００６】
図８に示す大規模なネットワークにおけるネットワーク監視システムは、複数の監視端末２１０ａ，２１０ｂと、複数の上位監視装置２２０ａ，２２０ｂと、複数の下位監視装置２３０ａ〜２３０ｄと、複数の被監視装置２４０ａ〜２４０ｈとを備えている。被監視装置２４０ａ〜２４０ｈは、伝送装置等のネットワーク装置を想定している。
【０００７】
被監視装置２４０ａ，２４０ｂは、自装置に障害が発生すると、障害が発生したことを通知するための障害情報を自装置と接続されている下位監視装置２３０ａへ送信する。他の被監視装置２４０ｃ〜２４０ｈも同様に、自装置において障害が発生した場合、自装置と接続されている下位監視装置２３０ｂ〜２３０ｄへ障害情報を送信する。
【０００８】
下位監視装置２３０ａ〜２３０ｄは、被監視装置２４０ａ〜２４０ｈから送信された障害情報を受信し、受信した障害情報を自装置と接続された上位監視装置２２０ａまたは上位監視装置２２０ｂへ送信する。
【０００９】
上位監視装置２２０ａ，２２０ｂは、下位監視装置２３０ａ〜２３０ｄから送信されてきた障害情報を集約して自装置と接続された監視端末２１０ａまたは監視端末２１０ｂへ送信する。
【００１０】
監視端末２１０ａ，２１０ｂは、上位監視装置２２０ａ，２２０ｂから送信された障害情報を受信し、受信した障害情報を表示することによって被監視装置２４０ａ〜２４０ｈに障害が発生したことをネットワークの運用者へ通知する。
【００１１】
図８に示したネットワーク監視システムにおいて、被監視装置２４０ａ〜２４０ｄで多くの障害が同時に発生した場合、被監視装置２４０ａ〜２４０ｄの障害情報を集約する上位監視装置２２０ａの負荷が増え、処理能力を超えてしまうことが想定される。この場合、上位監視装置２２０ａは、障害情報を受信してもその受信した障害情報を破棄したり、さらには、取得することさえもできなくなってしまったりする。その結果、障害情報が運用者へ通知されず、障害が更に拡大してしまうことがある。
【００１２】
そこで、被監視装置に障害が多く発生した場合でも、障害情報が確実に通知される技術が求められ、それを可能にする技術として、例えば、特許文献１に開示されているものがある。
【００１３】
図９は、大規模なネットワークにおけるネットワーク監視システムの他の例を示す図である。
【００１４】
図９に示すネットワーク監視システムにおいて、特許文献１に開示されている技術では、被監視装置３４０、下位監視装置３３０、中位監視装置３２５、上位監視装置３２０との間で定期的にポーリング信号を送受信することにより互いのアドレスを通知し合っている。各装置は、通知されたアドレスから障害情報の通知先リストを作成する。そして、障害情報を送信する装置は、障害情報を送信する場合、その通知先リストが示す送信先へ障害情報を送信する。
【００１５】
このとき、障害情報を送信する装置は、障害情報が送信先へ正しく送信できなかった場合、通知先リストにある別の監視装置へ障害情報を送信し直す。従って、障害情報が送信された監視装置が処理能力を超えていることによって障害情報を受信できない状態にあっても、障害情報は他の監視装置に送信されるため、障害情報が運用者へ通知されないという事態を回避することができる。
【００１６】
例えば、図９に示す被監視装置３４０に障害が発生して、被監視装置３４０が障害情報を送信する場合、通信先リストの１番目に下位監視装置３３０が示されていたとすると、被監視装置３４０は、まず下位監視装置３３０へ障害情報を送信する。このとき、この障害情報が正しく下位監視装置３３０に送信されなかった場合、被監視装置３４０は、通信先リストの２番目に示されている監視装置へ障害情報を送信する。ここで、通信先リストの２番目に示されている監視装置が中位監視装置３２５であった場合、被監視装置３４０は、障害情報を中位監視装置３２５へ送信する。
【特許文献１】特開２００１−５３７２７号公報
【発明の開示】
【発明が解決しようとする課題】
【００１７】
上述したように、特許文献１に開示されている技術では、被監視装置と監視装置との間と、監視装置間とで定期的にポーリング信号を送受信することにより通知先リストを作成している。
【００１８】
この場合、定期的なポーリング信号の送受信によってネットワーク監視システム内の回線の帯域を圧迫してしまうという問題点がある。
【００１９】
また、障害情報の送信側は、障害情報が正しく送信先の監視装置に送信されなかった場合、別の監視装置へ送信し直すため、無駄なトラフィックが発生してネットワーク監視システム内の回線の帯域を圧迫してしまうという問題点がある。
【００２０】
本発明は、ネットワーク監視システム内の回線の帯域を圧迫することなく、被監視装置に障害が多く発生した場合でも障害情報が確実に通知されるネットワーク監視システム及びネットワーク監視方法を提供することを目的とする。
【課題を解決するための手段】
【００２１】
上記目的を達成するために本発明は、
ネットワークを構成するネットワーク装置から送信された障害情報を受信する複数の下位監視装置と、該複数の下位監視装置と接続され、該複数の下位監視装置が受信した障害情報を集約する複数の上位監視装置とを有し、該上位監視装置の数が前記下位監視装置の数よりも少ないネットワーク監視システムであって、
前記下位監視装置は、前記ネットワーク装置から送信された障害情報を受信すると、該障害情報を受信する前までに前記ネットワーク装置から受信した障害情報の単位時間当たりの受信数である第１の受信レートに応じ、前記受信した障害情報を送信する上位監視装置を決定する。
【００２２】
また、ネットワークを構成するネットワーク装置から送信された障害情報を受信し、前記障害情報を集約する複数の上位監視装置と接続された下位監視装置であって、
前記ネットワーク装置から送信された障害情報を受信すると、該障害情報を受信する前までに前記ネットワーク装置から受信した障害情報の単位時間当たりの受信数である受信レートに応じ、前記受信した障害情報を送信する上位監視装置を決定する。
【００２３】
また、ネットワークを構成するネットワーク装置から送信された障害情報を受信する複数の下位監視装置と、該複数の下位監視装置と接続され、該複数の下位監視装置が受信した障害情報を集約する複数の上位監視装置とを有し、該上位監視装置の数が前記下位監視装置の数よりも少ないネットワーク監視システムにおけるネットワーク監視方法であって、
前記ネットワーク装置から送信された障害情報を受信すると、該障害情報を受信する前までに前記ネットワーク装置から受信した障害情報の単位時間当たりの受信数である第１の受信レートに応じ、前記受信した障害情報を送信する上位監視装置を決定する処理を有する。
【００２４】
また、ネットワークを構成するネットワーク装置から送信された障害情報を受信し、前記障害情報を集約する上位監視装置と接続された下位監視装置に、
前記ネットワーク装置から送信された障害情報を受信すると、該障害情報を受信する前までに前記ネットワーク装置から受信した障害情報の単位時間当たりの受信数である受信レートに応じ、前記受信した障害情報を送信する上位監視装置を決定する機能を実現させる。
【発明の効果】
【００２５】
本発明は以上説明したように構成されているので、ポーリング信号や無駄なトラフィックによってネットワーク監視システム内の回線の帯域を圧迫してしまうことを回避しつつ、被監視装置に障害が多く発生した場合でも障害情報が確実に通知される。
【発明を実施するための最良の形態】
【００２６】
以下に、本発明の実施の形態について図面を参照して説明する。
【００２７】
（第１の実施の形態）
図１は、本発明のネットワーク監視システムの第１の実施の形態を示す図である。
【００２８】
本形態のネットワーク監視システムは図１に示すように、複数の監視端末１０ａ，１０ｂと、複数の上位監視装置２０ａ，２０ｂと、複数の下位監視装置３０ａ〜３０ｄと、複数の被監視装置４０ａ〜４０ｈとを備えている。被監視装置４０ａ〜４０ｈは、伝送装置等のネットワーク装置を想定している。
【００２９】
被監視装置４０ａ，４０ｂは、下位監視装置３０ａに接続されている。他の被監視装置４０ｃ〜４０ｈも同様に、下位監視装置３０ｂ〜３０ｄに接続されている。
【００３０】
被監視装置４０ａ〜４０ｈは、自装置に障害が発生すると、障害が発生したことを通知するための障害情報を自装置と接続されている下位監視装置３０ａ〜３０ｄへ送信する。なお、障害情報には、被監視装置４０ａ〜４０ｈを一意に識別できる被監視装置ＩＤ（Ｉｄｅｎｔｉｆｉｃａｔｉｏｎ）が含まれている。
【００３１】
監視端末１０ａ，１０ｂは、それぞれ上位監視装置２０ａ，２０ｂと接続されており、障害が発生している被監視装置４０ａ〜４０ｈの名称を含む障害発生情報を上位監視装置２０ａ，２０ｂから受信し、受信した障害発生情報を表示することによって被監視装置４０ａ〜４０ｈに障害が発生したことをネットワークの運用者へ通知する。
【００３２】
上位監視装置２０ａ，２０ｂは、それぞれ監視端末１０ａ，１０ｂと接続されている。また、下位監視装置３０ａ〜３０ｄと接続されており、下位監視装置３０ａ〜３０ｄから送信されてきた障害情報を集約している。
【００３３】
図２は、図１に示した上位監視装置２０ａの一構成例を示すブロック図である。なお、上位監視装置２０ｂも同じ構成である。
【００３４】
図２に示すように上位監視装置２０ａは、障害情報受信部２１と、障害情報送信部２２と、局データ部２３とを備えている。
【００３５】
障害情報受信部２１は、下位監視装置３０ａ〜３０ｄから送信された障害情報を受信し、受信した障害情報を障害情報送信部２２へ出力する。
【００３６】
障害情報送信部２２は、障害情報受信部２１から出力された障害情報を受けると、その障害情報に含まれる被監視装置ＩＤと局データ部２３が記憶している被監視装置ＩＤとを比較することにより、障害が発生している被監視装置４０ａ〜４０ｈを判定する。そして、障害が発生している被監視装置４０ａ〜４０ｈの名称を局データ部２３から取得し、取得した被監視装置の名称を含む障害発生情報を監視端末１０ａへ送信する。
【００３７】
局データ部２３は、被監視装置ＩＤと被監視装置の名称とを対応付けて記憶している。なお、上位監視装置２０ａ，２０ｂの局データ部２３には同じ内容が記憶されている。
【００３８】
下位監視装置３０ａ〜３０ｄは、上位監視装置２０ａ，２０ｂの両方に接続されている。
【００３９】
図３は、図１に示した下位監視装置３０ａの構成を示すブロック図である。なお、下位監視装置３０ｂ〜３０ｄも同じ構成である。
【００４０】
図３に示すように下位監視装置３０ａは、障害情報受信部３１と、障害情報送信部３２と、受信数比較部３３とを備えている。
【００４１】
障害情報受信部３１は、被監視装置４０ａ，４０ｂから送信された障害情報を受信し、受信した障害情報を障害情報送信部３２へ出力する。
【００４２】
障害情報送信部３２は、障害情報受信部３１から出力された障害情報を受けると、その障害情報を上位監視装置２０ａ，２０ｂが受信できる形式に変換する。そして、受信数比較部３３が記憶している障害情報受信数をインクリメントする。そして、受信数比較部３３が記憶している障害情報の送信先である上位監視装置２０ａまたは上位監視装置２０ｂのどちらかを示す送信先フラグを確認し、確認した送信先フラグが示す上位監視装置２０ａまたは上位監視装置２０ｂへ形式変換した障害情報を送信する。なお、送信先フラグは、初期設定としては、予め決められた上位監視装置２０ａまたは上位監視装置２０ｂのどちらかを示している。
【００４３】
受信数比較部３３は、以下に示す情報を記憶している。
【００４４】
（１）障害情報受信部３１が受信した障害情報受信数。
【００４５】
（２）（１）の障害情報受信数に基づいて算出された単位時間当たりの障害情報受信数であって第１の受信レートである下位受信レート。
【００４６】
（３）送信先フラグ。
【００４７】
（４）送信先フラグの切り替えのために下位受信レートと比較される閾値である送信先変更規定値。
【００４８】
また、受信数比較部３３は、自身が記憶している下位受信レートと送信先変更規定値とを一定時間間隔で比較し、その比較結果に応じて送信先フラグを切り替える動作を行う。
【００４９】
以下に、下位監視装置３０ａの受信数比較部３３が行う送信先フラグ切り替え動作について説明する。
【００５０】
図４は、図３に示した下位監視装置３０ａの受信数比較部３３が行う送信先フラグ切り替え動作を説明するためのフローチャートである。なお、他の下位監視装置３０ｂ〜３０ｄも同じ動作を行う。
【００５１】
受信数比較部３３は、一定時間間隔で、自身が記憶している下位受信レートが送信先変更規定値よりも大きいかどうかを確認する（ステップＳ１）。
【００５２】
ステップＳ１における確認の結果、下位受信レートが送信先変更規定値よりも大きな場合、受信数比較部３３は、送信先フラグの切り替えを行う（ステップＳ２）。
【００５３】
次に、受信数比較部３３は、障害情報受信数を０にする（ステップＳ３）。
【００５４】
一方、ステップＳ１における確認の結果、下位受信レートが送信先変更規定値以下であった場合、送信先フラグの切り替えを行わずに処理を終了する。
【００５５】
以下に、上記のように構成されたネットワーク監視システムにおいて、被監視装置４０ａで発生した障害の情報が監視端末１０ａまたは監視端末１０ｂへ送信される場合の動作について説明する。
【００５６】
図５は、図１〜図３に示したネットワーク監視システムにおいてネットワーク監視を行う場合の動作の一例を説明するためのフローチャートである。
【００５７】
まず、被監視装置４０ａは、自装置において障害が発生すると、下位監視装置３０ａへ障害情報を送信する（ステップＳ５１）。なお、この障害情報には被監視装置４０ａを一意に識別する被監視装置ＩＤが含まれている。
【００５８】
下位監視装置３０ａの障害情報受信部３１は、被監視装置４０ａから送信された障害情報を受信する（ステップＳ５２）。
【００５９】
そして、障害情報受信部３１は、被監視装置４０ａから受信した障害情報を障害情報送信部３２へ出力する。
【００６０】
障害情報送信部３２は、障害情報受信部３１から出力された障害情報を上位監視装置２０ａ，２０ｂが受信できる形式に変換する（ステップＳ５３）。
【００６１】
次に、障害情報送信部３２は、受信数比較部３３が記憶している障害情報受信数をインクリメントする（ステップＳ５４）。
【００６２】
そして、障害情報送信部３２は、受信数比較部３３が記憶している送信先フラグを確認する（ステップＳ５５）。なお、送信先フラグには、障害情報を送信する上位監視装置２０ａまたは上位監視装置２０ｂのどちらかが示されている。どちらが示されているかは、図４のフローチャートで示した送信先フラグ切り替え動作において、受信数比較部３３が自身が記憶している下位受信レートと送信先変更規定値とを比較した結果による。
【００６３】
ステップＳ５５における確認の結果、送信先フラグが上位監視装置２０ａを示していた場合、障害情報送信部３２は、ステップＳ５３において形式変換した障害情報を上位監視装置２０ａへ送信する（ステップＳ５６）。
【００６４】
一方、ステップＳ５５における確認の結果、送信先フラグが上位監視装置２０ｂを示していた場合、障害情報送信部３２は、ステップＳ５３において形式変換した障害情報を上位監視装置２０ｂへ送信する（ステップＳ５７）。
【００６５】
ステップＳ５６の動作によって障害情報が上位監視装置２０ａに送信された場合、上位監視装置２０ａの障害情報受信部２１は障害情報を受信する（ステップＳ５８）。
【００６６】
そして、上位監視装置２０ａの障害情報受信部２１は、下位監視装置３０ａから受信した障害情報を障害情報送信部２２へ出力する。
【００６７】
上位監視装置２０ａの障害情報送信部２２は、障害情報受信部２１から出力された障害情報に含まれる被監視装置ＩＤと局データ部２３に記憶された被監視装置ＩＤとを比較することにより、被監視装置４０ａで障害が発生していると判定する。
【００６８】
そして、上位監視装置２０ａの障害情報送信部２２は、被監視装置４０ａの名称を局データ部２３から取得し、被監視装置４０ａの名称を含む障害発生情報を監視端末１０ａへ送信する（ステップＳ５９）。
【００６９】
一方、ステップ５７の動作によって障害情報が上位監視装置２０ｂに送信された場合、上位監視装置２０ｂの障害情報受信部２１は障害情報を受信する（ステップＳ６０）。
【００７０】
そして、上位監視装置２０ｂの障害情報受信部２１は、下位監視装置３０ａから受信した障害情報を障害情報送信部２２へ出力する。
【００７１】
上位監視装置２０ｂの障害情報送信部２２は、障害情報受信部２１から出力された障害情報に含まれる被監視装置ＩＤと局データ部２３に記憶された被監視装置ＩＤとを比較することにより、被監視装置４０ａで障害が発生していると判定する。
【００７２】
そして、上位監視装置２０ｂの障害情報送信部２２は、被監視装置４０ａの名称を局データ部２３から取得し、被監視装置４０ａの名称を含む障害発生情報を監視端末１０ａへ送信する（ステップＳ６１）。
【００７３】
このように本形態においては、下位監視装置３０ａ〜３０ｄは、下位受信レートに応じて切り替えられる送信先フラグを利用することによって送信した障害情報数の少ない、つまり負荷の少ない上位監視装置２０ａ，２０ｂへ障害情報を送信する。従って、被監視装置４０ａ〜４０ｈに障害が多く発生している場合でも、ネットワーク監視システム内の回線の帯域を圧迫することなく、障害の発生が確実に通知される。
【００７４】
（第２の実施の形態）
上述した第１の実施の形態では、下位監視装置３０ａ〜３０ｄが下位受信レートに応じて切り替えられる送信先フラグによって障害情報を送信する上位監視装置２０ａまたは上位監視装置２０ｂを決定する場合について説明した。
【００７５】
第２の実施の形態では、上位監視装置が自身が受信した障害情報の受信レートを記憶し、その受信レートを下位監視装置に通知し、下位監視装置が通知された受信レートに応じて障害情報を送信する上位監視装置を決定する場合について説明する。
【００７６】
図６は、図１に示した上位監視装置の他の構成例を示すブロック図である。
【００７７】
図６に示すように本形態の上位監視装置１２０ａは、図２に示した上位監視装置２０ａと比較すると受信数計測部２４が追加されている点が異なる。なお、本形態において図１に示した上位監視装置２０ｂに相当する他の上位監視装置１２０ｂ（不図示）も上位監視装置１２０ａと同じ構成である。
【００７８】
本形態において受信数計測部２４は、下位監視装置３０ａ〜３０ｄから送信されてきた障害情報受信数を記憶しており、その障害情報受信数に基づいて単位時間当たりの障害情報受信数であり、第２の受信レートである上位受信レートを算出して記憶している。
【００７９】
また、本形態において下位監視装置３０ａ〜３０ｄの障害情報送信部３２は、障害情報受信部３１から出力された障害情報を受けると、受信した障害情報を上位監視装置１２０ａまたは上位監視装置１２０ｂへ送信する前に、障害情報を受信することが可能かどうかを問い合わせるための受信可否照会通知を予め決められた上位監視装置１２０ａまたは上位監視装置１２０ｂへ送信する。
【００８０】
上位監視装置１２０ａ，１２０ｂの障害情報受信部２１は、下位監視装置３０ａ〜３０ｄから送信された受信可否照会通知を受信すると、受信数計測部２４が記憶している上位受信レートを受信可否照会通知の送信元の下位監視装置３０ａ〜３０ｄへ送信する。なお、上述した受信可否照会通知を利用した通信で送受信される情報は、データ量としては非常に小さなものであり、また、下位監視装置と上位監視装置との間のみでやりとりされるものである。従って、ネットワーク監視システム内の回線の帯域を圧迫するようなものではない。
【００８１】
下位監視装置３０ａ〜３０ｄの障害情報送信部３２は、上位監視装置１２０ａ，１２０ｂから受信した上位受信レートと受信数比較部３３が記憶している予め決められた閾値である送信先判定規定値とを比較することにより、障害情報を送信する上位監視装置１２０ａ，１２０ｂを決定する。
【００８２】
以下に、上記のように構成されたネットワーク監視システムにおいて、被監視装置４０ａで発生した障害の情報が監視端末１０ａまたは監視端末１０ｂへ送信される場合の動作について説明する。
【００８３】
図７は、図１，図２及び図６に示したネットワーク監視システムにおいてネットワーク監視を行う場合の動作の他の例を説明するためのフローチャートである。
【００８４】
まず、被監視装置４０ａは、自装置において障害が発生すると、下位監視装置３０ａへ障害情報を送信する（ステップＳ１０１）。
【００８５】
下位監視装置３０ａの障害情報受信部３１は、被監視装置４０ａから送信された障害情報を受信する（ステップＳ１０２）。
【００８６】
そして、障害情報受信部３１は、被監視装置４０ａから受信した障害情報を障害情報送信部３２へ出力する。
【００８７】
障害情報送信部３２は、障害情報受信部３１から出力された障害情報を上位監視装置１２０ａ，１２０ｂが受信することができる形式に変換する（ステップＳ１０３）。
【００８８】
次に、障害情報送信部３２は、受信可否照会通知を上位監視装置１２０ａへ送信する（ステップＳ１０４）。
【００８９】
上位監視装置１２０ａの障害情報受信部２１は、下位監視装置３０ａから送信された受信可否照会通知を受信し（ステップＳ１０５）、受信数計測部２４が記憶している上位受信レートを取得する（ステップＳ１０６）。
【００９０】
そして、障害情報受信部２１は、取得した上位受信レートを受信可否照会通知の送信元である下位監視装置３０ａへ送信する（ステップＳ１０７）。
【００９１】
下位監視装置３０ａの障害情報送信部３２は、上位監視装置１２０ａから送信された上位受信レートを受信する（ステップＳ１０８）。
【００９２】
そして、障害情報送信部３２は、上位監視装置１２０ａから受信した上位受信レートが受信数比較部３３に記憶されている送信先判定規定値よりも大きいかどうかを判定する（ステップＳ１０９）。
【００９３】
ステップＳ１０９における判定の結果、上位受信レートが送信先判定規定値以下であった場合、障害情報送信部３２は、ステップＳ１０３において形式変換した障害情報を上位監視装置１２０ａへ送信する（ステップＳ１１０）。
【００９４】
一方、ステップＳ１０９における判定の結果、上位受信レートが送信先判定規定値よりも大きな場合、障害情報送信部３２は、ステップＳ１０３において形式変換した障害情報を上位監視装置１２０ｂへ送信する（ステップＳ１１１）。
【００９５】
以降の動作であるステップＳ１１２〜Ｓ１１５は、図５に示したフローチャートのステップＳ５８〜Ｓ６１の動作と同じなので、説明を省略する。
【００９６】
なお、本形態においては、下位監視装置３０ａは、受信可能照会通知を上位監視装置１２０ａへ送信するように予め決められていたが、受信可能照会通知を送信する上位監視装置１２０ａ，１２０ｂは任意に決めることができる。
【００９７】
このように本形態においては、上位監視装置１２０ａ，１２０ｂは、上位受信レートを記憶し、その上位受信レートを下位監視装置３０ａ〜３０ｄへ通知する。従って、下位監視装置３０ａ〜３０ｄは、上位監視装置１２０ａ，１２０ｂの負荷状態を正確に把握でき、負荷の少ない上位監視装置１２０ａ，１２０ｂへの障害情報の送信をより確実に行うことができる。
【００９８】
なお、上述した２つの形態では、１つの下位監視装置に接続された被監視装置の数が２つである場合について説明したが、１つの下位監視装置に接続される被監視装置の数は２つに限定されるものではない。
【００９９】
また、上述した２つの形態では、監視装置が２段階構成となっている場合について説明したが、２段階構成に限定されるものではない。
【０１００】
また、本発明においては、下位監視装置及び上位監視装置内の処理は上述の専用のハードウェアにより実現されるもの以外に、その機能を実現するためのプログラムを下位監視装置及び上位監視装置にて読取可能な記録媒体に記録し、この記録媒体に記録されたプログラムを下位監視装置及び上位監視装置に読み込ませ、実行するものであっても良い。下位監視装置及び上位監視装置にて読取可能な記録媒体とは、フロッピーディスク、光磁気ディスク、ＤＶＤ、ＣＤなどの移設可能な記録媒体の他、下位監視装置及び上位監視装置に内蔵されたＨＤＤなどを指す。
【図面の簡単な説明】
【０１０１】
【図１】本発明のネットワーク監視システムの第１の実施の形態を示す図である。
【図２】図１に示した上位監視装置の一構成例を示すブロック図である。
【図３】図１に示した下位監視装置の構成を示すブロック図である。
【図４】図３に示した下位監視装置の受信数比較部が行う送信先フラグ切り替え動作を説明するためのフローチャートである。
【図５】図１に示したネットワーク監視システムにおいてネットワーク監視を行う場合の動作の一例を説明するためのフローチャートである。
【図６】図１に示した上位監視装置の他の構成例を示すブロック図である。
【図７】図１に示したネットワーク監視システムにおいてネットワーク監視を行う場合の動作の他の例を説明するためのフローチャートである。
【図８】大規模なネットワークにおけるネットワーク監視システムの一例を示す図である。
【図９】大規模なネットワークにおけるネットワーク監視システムの他の例を示す図である。
【符号の説明】
【０１０２】
１０ａ，１０ｂ，２１０ａ，２１０ｂ    監視端末
２０ａ，２０ｂ，１２０ａ，１２０ｂ，２２０ａ，２２０ｂ，３２０    上位監視装置
２１，３１    障害情報受信部
２２，３２    障害情報送信部
２３    局データ部
２４    受信数計測部
３０ａ〜３０ｄ，２３０ａ〜２３０ｄ，３３０    下位監視装置
３３    受信数比較部
４０ａ〜４０ｈ，２４０ａ〜２４０ｈ，３４０    被監視装置
３２５    中位監視装置
【図１】
2010041502.tif 000003
【図２】
2010041502.tif 000004
【図３】
2010041502.tif 000005
【図４】
2010041502.tif 000006
【図５】
2010041502.tif 000007
【図６】
2010041502.tif 000008
【図７】
2010041502.tif 000009
【図８】
2010041502.tif 000010
【図９】
2010041502.tif 000011